(57)【要約】      （修正有）【課題】小動力機である草刈機の草刈刃装着部に装着して、「土壌面に反発する方向」で回転させ、土の飛散も少なく安全に、砕土・除草の機能を発揮させるスクリュー状鋼板を提供する。【解決手段】基本構造として、厚さ約１，５ｍｍ・直径約５０ｍｍの円形鋼板の、２〜６等分した中心線に沿って半径の二分の一程度切り込む。できた各葉を、左回転の草刈り機では左回しに、約２０度捻ってスクリュー状４とし、治具により草刈機１の回転部に装着して、土壌の砕土と除草の機能を発揮させる。【選択図】図５
0003164525.tif 000002
【実用新案登録請求の範囲】
【請求項１】
スクリュー状の鋼板を「草刈機」の回転部に装着し、「土壌に対して反発方向」に
回転させて、土壌の砕土・除草の機能を発揮させる構造を、基本構造として実用新案登録を請求する。
次に、このスクリュー状鋼板の形状・組合せを、縦型「砕土」・円盤型「除草」の二構造として、実際的な実用新案登録を請求する。
【請求項２】
砕土目的の構造として、円形の鋼板に切り込みを入れ、土壌面と反発方向に捻じってスクリュー状とし、それを数枚縦型に組み立て草刈機へ装着し、草刈機を回転させながら、土壌の適宜の深さで左右に振って砕土する縦型砕土盤。
【請求項３】
除草目的の構造として、円形鋼板の外周を卍状にカットし、土壌面と反発方向に約２０度の仰角を与え、草刈機に装着して、草刈機を回転させながら、土壌面に軽く当て左右に振って除草する円板型除草盤。
【考案の詳細な説明】
【技術分野】
【０００１】
草刈機の刈り刃の駆動機構に、スクリュー状の鋼板を装着し、「土壌に対して反発方向」に回転させ、土壌の砕土・除草を行う物である。
原理として、スクリュー状鋼板の反発方向の円運動によって、鋼板外周断面が連続下方向の運動となり土壌に働く。
【背景技術】
【０００２】
草刈機は、駆動部の主軸回転を、地表面に対し水平に変え、刈り刃を回転させ、雑草・飼料作物等の刈り取りを行う機構となっている。
【０００３】
砕土・除草を目的とした新案登録の一例として、公開実用新案公報・実開平７−４３５５８があるが、これは、回転刃が土壌に対して直角に働きかける構造となっていて、土壌中の石・木の根などがあると破損の恐れも考えられ、また、機構も複雑で一般的でない。
【先行技術文献】
【特許文献】
【０００４】
【特許文献１】実開平７−４３５５８号公報
【特許文献２】特開２００６−２４６８７１号公報
【考案の概要】
【考案が解決しようとする課題】
【０００５】
無農薬水田の除草、一般畑作での畝間の除草、家庭園芸での砕土・除草等の手作業は動力と時間を要し、腰をかがめての作業姿勢となり健康面にもよくない。
【課題を解決するための手段】
【０００６】
小動力機である「草刈機」の草刈刃装着部にスクリュー状の鋼板を装着して、「土壌面に反発する方向」で回転させてみた所、土の飛散も少なく安全に、砕土・除草の機能が発揮されることを確認した。
反発回転するスクリュー状鋼板の外周断面は、土壌に対し常に下方向に作用し土壌を削る働きが発現する。
実用的には、スクリュー鋼板の形状・組み合わせを工夫し、「砕土機能」と「除草機能」の二つの構造とした。
構造１は、スクリュー状鋼板を縦方向に組み立て、土壌深部までの砕土を行う構造。
構造２は、卍形鋼板にそれぞれ仰角を付けスクリュー状とし、雑草を裁断除去する構造。
本考案は、以上二つの構造を、草刈機回転伝達機構として考案製作した「基台」に、土壌の状況・作業目的によって選択して取付、草刈機に装着し使用する。
【考案の効果】
【０００７】
無農薬水田の除草・畑作の畝間除草等の迅速化が図られ、作業姿勢が改善される。
家庭園芸での砕土、除草等、労力と時間が改善される。
【図面の簡単な説明】
【０００８】
【図１】構造１の縦型スクリュー盤の全体側面図
【図２】図１のＡ−Ａ部断面で、スクリュー板・軸・座金の平面断面図
【図３】図１のＡ−Ａ部スクリュー盤側面図。Ａ−Ａの方向から見たスクリューの状態図。
【図４】図１のＢ−Ｂ全体断面図。スクリュー軸と回転伝導部構造を表現
【図５】構造２の卍形スクリュー盤の全体側面図
【図６】卍形スクリュー盤の平面図。
【図７】草刈機全体図。本構造を左端部に装着
【考案を実施するための形態】
【０００９】
図１〜４の各４は、構造１の砕土を目的とした縦型スクリュー状鋼鈑で、工業的には鋼鈑打ち抜きとなる。厚さ約１．５ｍｍ、直径約５０ｍｍの円板、中心に８ｍｍπのスクリュー軸取付孔。中心線の両外周から中心に向かって半径の２分１程度切り込み、切り込み点の左右円周上を片方５ｍｍ程度切り込む、後、捻って、傾斜角約１０度で先端の高低差約１０ｍｍのスクリュー状とする。必要枚数は本案の場合３枚。草刈機の出力・土壌状態によって、スクリュー板の大きさ、枚数・座金を増減して組立使用する。
【００１０】
図１〜４各３は縦型スクリュー盤軸で、８ｍｍπ長さ約７０ｍｍの左ねじボールトでネジ山部分は約５０ｍｍ・頭部は六角ナット。
【００１１】
図１〜４各５は、スクリュー間隔を保持するための内径１０ｍｍ長さ８ｍｍの座金。必要数は機種スクリュー枚数による。本案は３個。
【００１２】
図１〜４各２は、草刈機接続基盤で、草刈機の刈り刃部に相当し、各種草刈機の仕様に合わせる。本案では、厚さ約１．５ｍｍ・直径約１００ｍｍ鋼板・中央に約２５ｍｍπの本体取付孔。
【００１３】
図１〜４の各６は、縦型スクリュー盤の基台でアーチ型１．５ｍｍ鋼板・高さ約３０ｍｍ・底部は基盤に熔着し、頂部の中心に８ｍｍπのスクリュー軸取付孔
【００１４】
図１〜４の各９は、縦型スクリュー軸取付ナットで基台に熔着。これで図１〜４の２、６、９は基台として一体物となる。
【００１５】
図１〜４の各１０は防護板で１ｍｍ鋼板・直径６０ｍｍ・中心に８ｍｍπの取付孔。
【００１６】
縦型スクリュー盤の組み立ては、３枚のスクリュー板を、座金で間隔を取り、スクリューのカット部をほぼ縦に合わせて、軸ボールドで固定する。次に防護板をはめ、基台ナットにねじこみ、各図１１の締め付けナットで固定する。これで縦型スクリュー盤（図１）が完成。
【００１７】
草刈機への取り付けは、草刈刃の取り付けに準ずる。但し、スクリュー盤を基台から外した状態の方が、草刈刃用ボールドのはめ込みがし易しい。
【００１８】
砕土作業は、草刈機を起動し、予め荒起こしした土壌に、適宜の深さでスクリュー盤を左右に振りながら砕土する。
【００１９】
図５〜６は機構２の除草を目的とした構造の側面図である。
【００２０】
図５−２〜９は基台で構造１の基台に準ずる。
【００２１】
図５・６−各４は卍型スクリュー盤で、工業的には鋼板打ち抜き、厚さ約１．５ｍｍ、半径約３８ｍｍの円形鋼板の外周各６０度、６等分の各点から、中心に向かって約２０ｍｍ切込み、次に、各図５の位置を押し曲げて、草刈機回転で反発回転となる方向に約２０度の仰角を付ける。
切断部分は緩やかにカットする。基台取付用に、中心位置に８ｍｍπ・長さ３０ｍｍ左ねじボールドを垂直に熔着する。ナットを１個つける。
【００２２】
除草盤組み立ては、基台にスクリュー盤の取付ボールドをはめ込み、ナットで逆ねじ固定する。
【００２３】
草刈機への取付は、草刈刃の取付に準ずる。但し、基台の方を先に草刈機に取付、後、スクリュー板を取付ける。
【００２４】
除草作業は、草刈機を低、中速で回転させてスクリュー盤を土壌面に軽く当て、左右に振って除草を行う。
【００２５】
構造１，２の砕土・除草いずれの場合もスクリュー鋼板は擦り減って機能が発揮できなくなったら取り換える。従って、実用的には常に予備を置く必要がある。
【００２６】
構造１，２いずれも、スクリュー刃の枚数・大きさ・形状等は、草刈機の出力、形態
により適正に変更し設計製作し、予備として常備する。
【００２７】
考案者自身の自家用・テスト用として、実際に菜園で使用中。他は見受けない。
【産業上の利用可能性】
【００２８】
農業園芸全般にわたり、土壌・作物の状況に応じて、人の手に代わる小動力機として活
用できる。実際には、無農薬水田の除草、畑作物全般の畝間・株間の除草で、作物を傷め
ることが少なく実施できる。家庭園芸での砕土・除草等の作業に活用できる。
【符号の説明】
【００２９】
１  草刈機本体
２  草刈機に取り付ける刃
３  スクリューの組み立てボルト
４  スクリュー
５  座金
６  基台の枠
７  草刈機の刃の押さえ
８  締付ボルト
９  スクリュー盤取付ナット
１０  防護板
１１  逆締めナット
１２  スクリュー盤の組立ナット
１３  捻部
【図１】
0003164525.tif 000003
【図２】
0003164525.tif 000004
【図３】
0003164525.tif 000005
【図４】
0003164525.tif 000006
【図５】
0003164525.tif 000007
【図６】
0003164525.tif 000008
【図７】
0003164525.tif 000009
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
基本構造として、厚さ約１，５ｍｍ・半径約４０ｍｍ鋼板の、２〜６等分した中心線に沿って半径の二分の一程度切り込み、できた各葉を、駆動回転方向に対し傾斜が反発方向となるよう、捻ってスクリュー状とし、治具により「草刈機」等の回転部に装着して、土壌の砕土と除草の機能を発揮させる、土壌面に対し反発回転を特徴とした「草刈機に装着する砕土と除草用スクリュー状鋼板」
【請求項２】
反発回転を特徴とする請求項１記載の「草刈機に装着する砕土と除草用スクリュー状鋼板」を、砕土目的の構造として、請求項１同様、厚さ約１，５ｍｍ直径約５０ｍｍの鋼板の、中心線上を二分の一程度切り込み，形成された二葉を、土壌面と反発方向に捻ってスクリュー状とし、治具で数枚縦型に組み立て、草刈機に装着して、土壌の適宜の深さで左右に振って砕土する、土壌面に対し反発回転を待徴とした「草刈機に装着する縦型砕土用スクリュー状鋼板」
【請求項３】
反発回転を特徴とする請求項１記載の「草刈機に装着する砕土と除草用スクリュー状鋼板」を、除草目的の構造として、請求項１同様、厚さ約１，５ｍｍ半径約４０ｍｍの鋼板に、３等分した中心線の各線上を、中心に向かって半径の２分の１程度切込み、形成された６葉を、土壌面と反発方向に約２０度捻って仰角を与え、治具により草刈機に装着して、土壌面を左右に振って除草する、土壌面に対し反発回転を特徴とした「草刈機に装着する円盤型除草用スクリュー状鋼板」
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
基本構造として、厚さ約１，５ｍｍ・直径約５０ｍｍの円形鋼板の、２〜６等分した中心線に沿って半径の二分の一程度切り込み、できた各葉を、左回転の草刈り機では左回しに、約２０度捻ってスクリュー状とし、治具により「草刈機」の回転部に装着して、土壌の砕土と除草の機能を発揮させる、土壌面に対し反発回転を特徴とした「草刈機に装着する砕土と除草用スクリュー状鋼板」
【請求項２】
請求項１記載の、反発回転を特徴とする「草刈機に装着する砕土と除草用スクリュー状鋼板」の構造形態を基本とし、砕土目的の構造として、厚さ約１，５ｍｍ直径約５０ｍｍの鋼板の、中心線上を二分の一程度切り込み，形成された二葉を、左回転の草刈り機では左回しに、約２０度捻ってスクリュー状とし、治具で数枚縦型に組み立て、草刈機に装着して、土壌の適宜の深さで左右に振って砕土する、土壌面に対し反発回転を特徴とした「草刈機に装着する縦型砕土用スクリュー状鋼板」
【請求項３】
請求項１記載の、反発回転を特徴とする「草刈機に装着する砕土と除草用スクリュー状鋼板」の構造形態を基本とし、除草目的の構造として、厚さ約１，５ｍｍ直径約７５ｍｍの鋼板の、３等分した各中心線上を半径の２分の１程度切込み、形成された６葉を、左回転の草刈り機では左回しに、約２０度捻ってスクリュー状とし、治具により草刈機に装着して、土壌面を左右に振って除草する、土壌面に対し反発回転を特徴とした「草刈機に装着する円盤型除草用スクリュー状鋼板」